(57)【要約】【課題】植物の茎等の荷重や茎の肥大等による茎保持部内側から外側への膨らみに対してもロック解除が影響を受けず行え、また、ロック解除の際もクリップの保持が容易な植物茎誘引用クリップの提供。【解決手段】植物の茎を支持する円状の茎保持部２を形成する第１挟持片３および第２挟持片４と、第１挟持片３および第２挟持片４を開閉可能に連結するヒンジ部５と、第１挟持片３および第２挟持片４を閉じた状態で保持するロック部６であり、第１挟持片３および第２挟持片４の開閉方向に対して直交する第１方向Ｘに可撓であり第１挟持片３の先端部に形成されたロック片６ａと、ロック片６ａの第１方向Ｘの後方側に形成された係合突起６ｂと、ロック片６ａが貫通する第２挟持片４の先端部に形成された開口４ａおよび係合突起６ｂが係合する係合部４ｂとを有するロック部６とを有する。【選択図】図１
2020178571.tif 000002
【特許請求の範囲】
【請求項１】
植物の茎を支持する円状の茎保持部を形成する第１挟持片および第２挟持片と、
前記第１挟持片および第２挟持片を開閉可能に連結するヒンジ部と、
前記第１挟持片および第２挟持片を閉じた状態で保持するロック部であり、前記第１挟持片および第２挟持片の開閉方向に対して直交する第１方向に可撓であり前記第１挟持片の先端部に形成されたロック片と、前記ロック片の前記第１方向の後方側に形成された係合突起と、前記ロック片が貫通する前記第２挟持片の先端部に形成された開口および前記係合突起が係合する係合部とを有するロック部と
を有する植物茎誘引用クリップ。
【請求項２】
前記第１挟持片および第２挟持片を閉じて前記ロック部により保持した状態における前記ロック片の位置の前記第１方向の前方側に向かって前記第２挟持片の先端部から突設された摘み部を有する請求項１記載の植物茎誘引用クリップ。
【請求項３】
前記第１挟持片および第２挟持片を閉じて前記ロック部により保持した状態において前記第２挟持片を前記ロック片との間で挟む位置に前記第１挟持片の先端部から突設された舌片を有する請求項１または２に記載の植物茎誘引用クリップ。
【請求項４】
前記ヒンジ部は、前記第１挟持片と前記第２挟持片とを連結する帯状部と、前記第１挟持片および第２挟持片を閉じた状態において前記帯状部の内側となる位置に形成された突起部とから構成される請求項１から３のいずれか１項に記載の植物茎誘引用クリップ。
【請求項５】
前記第１挟持片および第２挟持片の基部に、紐をコ字状に曲げた状態で締め付ける外側紐挟み部および内側紐挟み部を有し、
前記外側紐挟み部および内側紐挟み部は、それぞれ前記第１方向に並列配置された２枚の板状の構成部で形成され、前記内側紐挟み部の２枚の板状の構成部は前記外側紐挟み部の２枚の板状の構成部の内側に配置されたものであり、
さらに、前記外側紐挟み部の２枚の板状の構成部の内側であって前記茎保持部側の端部に、前記内側紐挟み部の２枚の板状の構成部の間に進入する柱状部を有する
請求項１から４のいずれか１項に記載の植物茎誘引用クリップ。
【発明の詳細な説明】
【技術分野】
【０００１】
本発明は、トマト、ナス、キュウリ、メロンやピーマンなどの植物の茎を上から吊された紐に止めて誘引する植物茎誘引用クリップに関する。
【背景技術】
【０００２】
トマト、ナス、キュウリ、メロンやピーマンなどの植物の茎は、成長するにつれて上方に伸びていく。従来、上から吊された紐を株元に結び、その結ばれた紐に植物の茎を巻き付け、誘引を行っていたが、トマトなどの長期栽培を行う場合には、茎の成長に伴い、吊り降ろしや移動などの多くの手間を有するため、近年では留め替えや移動などが楽に行える植物茎誘引用のクリップが普及している。
【０００３】
従来の植物茎誘引用クリップとして、例えば特許文献１に記載の植物茎誘引用クリップが知られている。図９（ａ）に示すように、この植物茎誘引用クリップ１００は、茎を支持する半円状の茎保持部１０１ａ，１０２ａをそれぞれ有する第１挟持片１０１と第２挟持片１０２がヒンジ部１０３で連結され、第１挟持片１０１および第２挟持片１０２の基部に、紐をコ字状に曲げた状態で締め付ける内側紐挟み部１０１ｂおよび外側紐挟み部１０２ｂがそれぞれ形成されたものである。また、第１挟持片１０１の先端部には係合突起１０１ｄを有する可撓性のロック部１０１ｃが形成されており、第２挟持片１０２の先端部には、ロック部１０１ｃが貫通する開口１０２ｃと係合突起１０１ｄが係合する係合部１０２ｄが形成されている。
【０００４】
この植物茎誘引用クリップ１００では、茎が茎保持部１０１ａ，１０２ａの間に位置するように、また紐が内側紐挟み部１０１ｂと外側紐挟み部１０２ｂの間のどこかに位置するようにして、同図（ｂ）に示すように摘み部１０１ｇ，１０２ｇを挟み込むと、ロック部１０１ｃが開口１０２ｃの内部に入り込み、同図（ｃ）に示すように、最終的には係合突起１０１ｄが係合部１０２ｄと係合し、指を離しても係合状態が保持されるようになっている。また、この植物茎誘引用クリップを外すときは、ロック部１０１ｃの先端部を押して係合突起１０１ｄが係合部１０２ｄから離れるようにすれば、ヒンジ部１０３の復元力で第１挟持片１０１と第２挟持片１０２が開き、茎と紐を外すことができるようになっている。
【０００５】
また、図１０は従来の植物茎誘引用クリップの別の例を示している。図１０（ａ）に示すように、この植物茎誘引用クリップ１１０も同様に、茎を支持する半円状の茎保持部１１１ａ，１１２ａをそれぞれ有する第１挟持片１１１と第２挟持片１１２がヒンジ部１１３で連結されたものである。また、第１挟持片１１１の先端部には係合突起１１１ｄを有する可撓性のロック部１１１ｃが形成されており、第２挟持片１１２の先端部には、ロック部１１１ｃが貫通する開口１１２ｃと係合突起１１１ｄが係合する係合部１１２ｄが形成されている。
【０００６】
この植物茎誘引用クリップ１１０では、同図（ｂ）に示すように茎１２０が茎保持部１１１ａ，１１２ａの間に位置するように、また紐１２１がヒンジ部１１３の内側に位置するようにして挟み込むと、ロック部１１１ｃが開口１１２ｃの内部に入り込み、図１０（ａ）に示すように、最終的には係合突起１１１ｄが係合部１１２ｄと係合し、指を離しても係合状態が保持されるようになっている。
【先行技術文献】
【特許文献】
【０００７】
【特許文献１】特許第４２５１６９３号公報
【発明の概要】
【発明が解決しようとする課題】
【０００８】
上記従来の植物茎誘引用クリップ１００，１１０では、ロックを解除する際に、ロック部１０１ｃ，１１１ｃを本体側、すなわち第１挟持片１０１，１１１および第２挟持片１０２，１１２側へ向かって押すことになる。しかしながら、このロック部１０１ｃ，１１１ｃを押す方向は、第１挟持片１０１，１１１および第２挟持片１０２，１１２の開閉方向と同じ面内であるため、ロックを解除したときの第１挟持片１０１，１１１および第２挟持片１０２，１１２の保持が不安定となりやすい。
【０００９】
また、図１１（ａ）に示すように、上から吊された紐１２１（図１０（ｂ）参照。）に植物茎誘引用クリップ１１０を挟み、植物の茎１２０を吊したとき、通常であればロック部１１１ｃの倒し代があるが、同図（ｂ）に示すように、植物茎誘引用クリップ１１０にかかる植物の荷重や植物の茎１２０等の肥大化によって、茎保持部１１１ａ，１１２ａ内側より外側へ力が働いた場合、第１挟持片１１１および第２挟持片１１２の形状が膨らみ、ロック部１１１ｃの倒し代が狭くなり、係合突起１１１ｄの解除がしにくくなったり、外れなかったりする場合がある。
【００１０】
そこで、本発明においては、植物の茎等の荷重や茎の肥大等による茎保持部内側から外側への膨らみに対してもロック解除が影響を受けず行え、また、ロック解除の際もクリップの保持が容易な植物茎誘引用クリップを提供することを目的とする。
【課題を解決するための手段】
【００１１】
本発明の植物茎誘引用クリップは、植物の茎を支持する円状の茎保持部を形成する第１挟持片および第２挟持片と、第１挟持片および第２挟持片を開閉可能に連結するヒンジ部と、第１挟持片および第２挟持片を閉じた状態で保持するロック部であり、第１挟持片および第２挟持片の開閉方向に対して直交する第１方向に可撓であり第１挟持片の先端部に形成されたロック片と、ロック片の第１方向の後方側に形成された係合突起と、ロック片が貫通する第２挟持片の先端部に形成された開口および係合突起が係合する係合部とを有するロック部を有するものである。
【００１２】
本発明の植物茎誘引用クリップでは、茎が茎保持部内に位置するようにして第１挟持片および第２挟持片を閉じると、ロック部のロック片が、第１挟持片および第２挟持片の開閉方向に対して直交する第１方向に撓みながら開口の内部に入り込み、最終的にはロック片の第１方向の後方側に形成された係合突起が係合部と係合し、指を離しても係合状態が保持される。そして、この植物茎誘引用クリップを外すときは、ロック片と第２挟持片とを指で挟み、ロック片を第１方向に押すことになるため、ロックを解除したときに第２挟持片を保持しやすい。また、この植物茎誘引用クリップでは、植物の茎等の荷重や茎の肥大等により茎保持部内側から外側への第１挟持片および第２挟持片の膨らみに対して、ロックを解除する際のロック片を押す方向が、第１挟持片および第２挟持片の開閉方向に対して直交する第１方向であるため、ロック片の倒し代が変化することがなく、ロック解除が影響を受けず行える。
【００１３】
ここで、第１挟持片および第２挟持片を閉じてロック部により保持した状態におけるロック片の位置の第１方向の前方側に向かって第２挟持片の先端部から突設された摘み部を有するものであることが望ましい。これにより、植物茎誘引用クリップを外すときにロック片と第２挟持片とを指で挟む際、第２挟持片側はその先端部から突設された摘み部を挟むことができるため挟みやすく、また、ロックを解除したときに、この第２挟持片から突設されている摘み部によってさらに第２挟持片を保持しやすい。
【００１４】
また、本発明の植物茎誘引用クリップは、第１挟持片および第２挟持片を閉じてロック部により保持した状態において第２挟持片をロック片との間で挟む位置に第１挟持片の先端部から突設された舌片を有することが望ましい。これにより、植物の茎等の荷重や茎の肥大等により茎保持部内側から外側へ力が働いた場合に、この第１挟持片の先端部から突設された舌片で受けるようになり、第２挟持片が膨らむのを防止することができる。
【００１５】
ところで、植物の成長に伴う留め替えの際、図９および図１０で示されるように、第１挟持片および第２挟持片を折り曲げる際に支点となるヒンジ部（折り曲げ部）を繰り返し１８０度近く折り曲げたり、図１０に示されるように、ヒンジ部で紐を挟んだりする場合、植物の荷重や植物の茎の肥大等による負荷等により耐久性が低下し、劣化が進み、ヒンジ部の破損等で使用不能となる場合が多い。
【００１６】
そこで、ヒンジ部は、第１挟持片と第２挟持片とを連結する帯状部と、第１挟持片および第２挟持片を閉じた状態において帯状部の内側となる位置に形成された突起部とから構成されるものであることが望ましい。これにより、第１挟持片および第２挟持片をヒンジ部で折り曲げる際に、折り曲げ角度が突起部の両側に分散され、従来の１８０度近くから半分の９０度程度の折り曲げ角となり、ヒンジ部への負荷を減らすことが可能となる。
【００１７】
また、本発明の植物茎誘引用クリップは、第１挟持片および第２挟持片の基部に、紐をコ字状に曲げた状態で締め付ける外側紐挟み部および内側紐挟み部を有し、外側紐挟み部および内側紐挟み部は、それぞれ第１方向に並列配置された２枚の板状の構成部で形成され、内側紐挟み部の２枚の板状の構成部は外側紐挟み部の２枚の板状の構成部の内側に配置されたものであり、さらに、外側紐挟み部の２枚の板状の構成部の内側であって茎保持部側の端部に、内側紐挟み部の２枚の板状の構成部の間に進入する柱状部を有することが望ましい。
【００１８】
本発明の植物茎誘引用クリップでは、茎が茎保持部内に位置するようにするとともに紐を内側紐挟み部と外側紐挟み部との間に位置するようにして第１挟持片および第２挟持片を閉じると、茎は茎保持部に挟まれ、紐は外側紐挟み部および内側紐挟み部の間に挟み込まれるとともに、茎保持部側の端部において柱状部が内側紐挟み部の２枚の板状の構成部の間に進入して閉じるため、紐は茎保持部側の端部から茎保持部側へ抜け落ちることが防止される。
【発明の効果】
【００１９】
（１）第１挟持片および第２挟持片の開閉方向に対して直交する第１方向に可撓であり第１挟持片の先端部に形成されたロック片と、ロック片の第１方向の後方側に形成された係合突起と、ロック片が貫通する第２挟持片の先端部に形成された開口および係合突起が係合する係合部とを有するロック部により、植物の茎等の荷重や茎の肥大等により茎保持部内側から外側への膨らみに対してもロック解除が影響を受けずスムーズに行え、また、ロック解除の際もクリップの保持が容易な植物茎誘引用クリップが得られる。
【００２０】
（２）第１挟持片および第２挟持片を閉じてロック部により保持した状態におけるロック片の位置の第１方向の前方側に向かって第２挟持片の先端部から突設された摘み部を有するものであることにより、植物茎誘引用クリップを外すときに指で挟みやすくなり、また、ロックを解除したときにさらに第２挟持片を保持しやすくなるため、誘引作業の効率化を図ることができる。
【００２１】
（３）第１挟持片および第２挟持片を閉じてロック部により保持した状態において第２挟持片をロック片との間で挟む位置に第１挟持片の先端部から突設された舌片を有することにより、植物の茎等の荷重や茎の肥大等により茎保持部内側から外側へ力が働いた場合に、第２挟持片が膨らむのを防止することが可能となる。
【００２２】
（４）ヒンジ部が、第１挟持片と第２挟持片とを連結する帯状部と、第１挟持片および第２挟持片を閉じた状態において帯状部の内側となる位置に形成された突起部とから構成されるものであることにより、ヒンジ部への負荷を減らしてヒンジ部の破損を防止することが可能となり、耐久性が向上する。
【００２３】
（５）第１挟持片および第２挟持片の基部に、紐をコ字状に曲げた状態で締め付ける外側紐挟み部および内側紐挟み部を有し、外側紐挟み部および内側紐挟み部は、それぞれ第１方向に並列配置された２枚の板状の構成部で形成され、内側紐挟み部の２枚の板状の構成部は外側紐挟み部の２枚の板状の構成部の内側に配置されたものであり、さらに、外側紐挟み部の２枚の板状の構成部の内側であって茎保持部側の端部に、内側紐挟み部の２枚の板状の構成部の間に進入する柱状部を有することにより、紐が茎保持部側の端部から茎保持部側へ抜け落ちることが防止され、安定した植物の誘引を行うことが可能となる。
【図面の簡単な説明】
【００２４】
【図１】本発明の実施の形態における植物茎誘引用クリップを示す斜視図である。
【図２】図１の植物茎誘引用クリップを開いた状態を示す図であって、（ａ）は平面図、（ｂ）は正面図、（ｃ）は底面図、（ｄ）は背面図、（ｅ）は左側面図、（ｆ）は右側面図である。
【図３】図２の植物茎誘引用クリップの斜視図であって、（ａ）は正面・平面・左側面側斜視図、（ｂ）は背面・底面・右側面側斜視図、（ｃ）は正面・底面・右側面側斜視図、（ｄ）は背面・平面・右側面側斜視図である。
【図４】本発明の実施の形態における植物茎誘引用クリップの使用状態を示す説明図である。
【図５】本発明の実施の形態における植物茎誘引用クリップを閉じる様子を示す説明図である。
【図６】本発明の実施の形態における植物茎誘引用クリップを指で挟んで開く様子を示す説明図である。
【図７】本発明の実施の形態における植物茎誘引用クリップが開く様子を示す説明図である。
【図８】ヒンジ部の折り曲げ角度についての説明図である。
【図９】従来の植物茎誘引用クリップの例を示す図である。
【図１０】従来の植物茎誘引用クリップの別の例を示す図である。
【図１１】従来の植物茎誘引用クリップのロック部の倒し代を示す説明図である。
【発明を実施するための形態】
【００２５】
図１は本発明の実施の形態における植物茎誘引用クリップを示す斜視図、図２は図１の植物茎誘引用クリップを開いた状態を示す図であって、（ａ）は平面図、（ｂ）は正面図、（ｃ）は底面図、（ｄ）は背面図、（ｅ）は左側面図、（ｆ）は右側面図、図３は図２の植物茎誘引用クリップの斜視図であって、（ａ）は正面・平面・左側面側斜視図、（ｂ）は背面・底面・右側面側斜視図、（ｃ）は正面・底面・右側面側斜視図、（ｄ）は背面・平面・右側面側斜視図である。
【００２６】
図１〜図３に示すように、本発明の実施形態における植物茎誘引用クリップ１は、植物の茎を支持する円状の茎保持部２を形成する第１挟持片３および第２挟持片４と、第１挟持片３および第２挟持片４を開閉可能に連結するヒンジ部５と、第１挟持片３および第２挟持片４を閉じた状態で保持するロック部６とを有する一体型クリップである。茎保持部２は、図２に示すように、第１挟持片３の半円状部２ａと第２挟持片４の半円状部２ｂとから形成される。
【００２７】
ロック部６は、第１挟持片３および第２挟持片４の開閉方向Ｒに対して直交（図２（ａ）に現れる面に対して直交）する第１方向Ｘ（図２（ｂ）の下方向）に可撓であり、第１挟持片３の先端部に形成されたロック片６ａと、ロック片６ａの第１方向Ｘの後方側（図２（ｂ）の上側）に形成された係合突起６ｂと、ロック片６ａが貫通する第２挟持片４の先端部に形成された開口４ａおよび係合突起６ｂが係合する係合部４ｂとを有する。
【００２８】
また、ロック部６には、ロック片６ａと平行に延びる第２舌片６ｃを有する。第２舌片６ｃは、第１挟持片３および第２挟持片４を閉じる際に、ロック片６ａとともに第２挟持片４の開口４ａ内に進入する。このとき、第２舌片６ｃは開口４ａの下面（第１方向Ｘ側の面）４ａ１に沿う位置に配置され、ロック片６ａを押してロックを解除する際に開口４ａの下面４ａ１に当接することにより第１挟持片３が第１方向Ｘ側にずれたり、作業中等に簡単に外れたりしないようにするものである。
【００２９】
第１挟持片３の先端部には第１舌片３ａを有する。第１舌片３ａは、第１挟持片３および第２挟持片４を閉じてロック部６により保持した状態において第２挟持片４をロック片６ａとの間で挟む位置に突設されている。
【００３０】
第２挟持片４の先端部には摘み部４ｃを有する。摘み部４ｃは、第１挟持片３および第２挟持片４を閉じてロック部６により保持した状態におけるロック片６ａの位置の第１方向Ｘの前方側に向かって突設されている。
【００３１】
第１挟持片３および第２挟持片４の基部には、紐をコ字状に曲げた状態で締め付ける外側紐挟み部７および内側紐挟み部８を有する。外側紐挟み部７および内側紐挟み部８は、それぞれ第１方向に並列配置された２枚の板状の構成部７ａ，８ａで形成されており、それぞれ空隙部７ｂ，８ｂを有している。また、空隙部８ｂの中央部には２枚の板状の構成部８ａを連結する柱状の連結部８ｃを有している。第１挟持片３および第２挟持片４を閉じたとき、内側紐挟み部８の２枚の板状の構成部８ａは、外側紐挟み部７の２枚の板状の構成部７ａの内側に配置される。
【００３２】
また、外側紐挟み部７の２枚の板状の構成部７ａの内側であって茎保持部２側の端部には、第１挟持片３および第２挟持片４を閉じたときに、内側紐挟み部８の２枚の板状の構成部８ａの間に進入する柱状部７ｃを有する。第１挟持片３および第２挟持片４を閉じたとき、柱状部７ｃは連結部８ｃの茎保持部２側に配置される。
【００３３】
ヒンジ部５は、第１挟持片３と第２挟持片４とを屈曲自在に連結する薄肉の帯状部５ａと、第１挟持片３および第２挟持片４を閉じた状態において帯状部５ａの内側となる位置に形成された突起部５ｂとから構成される。突起部５ｂは、第１方向Ｘに延びるＵ字状断面を有する。また、突起部５ｂの中央部には、第１挟持片３および第２挟持片４を閉じたときに、内側紐挟み部８の２枚の板状の構成部８ａの間に進入する柱状部５ｃを有する。第１挟持片３および第２挟持片４を閉じたとき、柱状部５ｃは連結部８ｃを挟んで柱状部７ｃの反対側（帯状部５ａ側）に配置される。
【００３４】
図４は本発明の実施の形態における植物茎誘引用クリップの使用状態を示す説明図、図５は本発明の実施の形態における植物茎誘引用クリップを閉じる様子を示す説明図、図６は本発明の実施の形態における植物茎誘引用クリップを指で挟んで開く様子を示す説明図、図７は本発明の実施の形態における植物茎誘引用クリップが開く様子を示す説明図である。
【００３５】
図４に示すように、上記本発明の実施の形態における植物茎誘引用クリップ１は、植物の茎１２０を茎保持部２内に支持して植物の上から吊された紐１２１に保持するようにして使用する。植物茎誘引用クリップ１は、図５（ａ）に示す状態から同図（ｂ）に示すように、ヒンジ部５を中心として第１挟持片３および第２挟持片４を折り曲げる。
【００３６】
このとき、第１挟持片３および第２挟持片４は自然状態では開こうとする復元力が働くので、片方の手で第１挟持片３および第２挟持片４を適当な角度で挟むことにより、片手で操作することができる。そして、もう一方の手で、茎１２０と紐１２１を支持して、茎１２０が茎保持部２内に位置するように、また紐１２１が外側紐挟み部７および内側紐挟み部８の間の間に位置するようにして、第１挟持片３および第２挟持片４を閉じていく。
【００３７】
そうすると、ロック部６のロック片６ａが、第１方向Ｘに撓みながら開口４ａの内部に入り込み、最終的にはロック片６ａの第１方向Ｘの後方側に形成された係合突起６ｂが係合部４ｂと係合し、指を離しても係合状態が保持される。これにより、植物の茎１２０は茎保持部２内に支持され、紐１２１は外側紐挟み部７と内側紐挟み部８との間に挟み込まれる。なお、紐１２１は外側紐挟み部７と内側紐挟み部８との間で茎保持部２側またはヒンジ部５側へずれたとしても、第１挟持片３および第２挟持片４を閉じた状態において内側紐挟み部８の空隙部８ｂ内に配置されている柱状部５ｃ，７ｃにより進路を阻まれ、外側紐挟み部７と内側紐挟み部８との間から抜け落ちることが防止されており、安定した植物の誘引を行うことが可能となっている。
【００３８】
そして、この植物茎誘引用クリップ１を外すときは、図６（ａ）に示すようにロック片６ａと第２挟持片４とを指で挟み、図７（ａ）に示すようにロック片６ａを第１方向Ｘに押して係合突起６ｂが係合部４ｂから離れるようにすれば、図７（ｂ）に示すようにヒンジ部５の復元力で第１挟持片３と第２挟持片４とが開く。このとき、ロック片６ａの下方（第１方向Ｘ）には第２挟持片４の先端部から突設された摘み部４ｃが存在するため、図６（ｂ）に示すようにロック片６ａが指から離脱したときにロック片６ａに代えて摘み部４ｃを指で挟むことができる。そのため、この植物茎誘引用クリップ１では、ロック解除したときに第２挟持片４を保持しやすく、誘引作業の効率化を図ることができる。
【００３９】
また、この植物茎誘引用クリップ１では、図５（ｃ），（ｄ）に示すように植物の茎１２０等の荷重や茎１２０の肥大等により茎保持部２内側から外側への第１挟持片３および第２挟持片４の膨らみに対して、ロックを解除する際のロック片６ａを押す方向が、第１挟持片３および第２挟持片４の開閉方向Ｒに対して直交する第１方向Ｘであるため、ロック片６ａの倒し代Ｄが変化することがなく、ロック解除が影響を受けずスムーズに行える。
【００４０】
また、この植物茎誘引用クリップ１では、第１挟持片３および第２挟持片４を閉じてロック部６により保持した状態において第２挟持片４をロック片６ａとの間で挟む位置に第１挟持片３の先端部から突設された第１舌片３ａを有することにより、植物の茎１２０等の荷重や茎１２０の肥大等により茎保持部２内側から外側へ力が働いた場合に、この第１舌片３ａで受けるようになり、第２挟持片４が膨らむのを防止することができる。
【００４１】
また、この植物茎誘引用クリップ１では、図８（ａ）に示すようにヒンジ部５が、第１挟持片３と第２挟持片４とを連結する帯状部５ａと、この帯状部５ａの内側となる位置に形成された突起部５ｂとから構成されているため、同図（ｂ）に示すように第１挟持片３および第２挟持片４をヒンジ部５で折り曲げる際に、帯状部５ａの折り曲げ角度が突起部５ｂの両側に分散され、従来の１８０度近くから半分の９０度程度の折り曲げ角となる。そのため、帯状部５ａへの負荷を減らしてヒンジ部５の破損を防止することが可能となっており、耐久性が向上している。
【００４２】
なお、上記実施形態においては、外側紐挟み部７を第１挟持片３に、内側紐挟み部８を第２挟持片４に有する構成について説明したが、これらは逆に配置した構成とすることも可能である。
【産業上の利用可能性】
【００４３】
本発明の植物茎誘引用クリップは、トマト、ナス、キュウリ、メロンやピーマンなどの植物の茎を上から吊された紐に止めて誘引する植物茎誘引具として有用である。
【符号の説明】
【００４４】
１  植物茎誘引用クリップ
２  茎保持部
２ａ，２ｂ  半円状部
３  第１挟持片
３ａ  第１舌片
４  第２挟持片
４ａ  開口
４ｂ  係合部
４ｃ  摘み部
５  ヒンジ部
５ａ  帯状部
５ｂ  突起部
５ｃ  柱状部
６  ロック部
６ａ  ロック片
６ｂ  係合突起
６ｃ  第２舌片
７  外側紐挟み部
７ａ  構成部
７ｂ  空隙部
７ｃ  柱状部
８  内側紐挟み部
８ａ  構成部
８ｂ  空隙部
８ｃ  連結部
【図１】
2020178571.tif 000003
【図２】
2020178571.tif 000004
【図３】
2020178571.tif 000005
【図４】
2020178571.tif 000006
【図５】
2020178571.tif 000007
【図６】
2020178571.tif 000008
【図７】
2020178571.tif 000009
【図８】
2020178571.tif 000010
【図９】
2020178571.tif 000011
【図１０】
2020178571.tif 000012
【図１１】
2020178571.tif 000013